(57)【特許請求の範囲】
【請求項１】
デジタルカメラのレンズ鏡筒前面に装着され光を制御するために使用するフィルター枠本体は適度の弾性を有する熱可塑性樹脂や繊維強化プラスチックスなどの複合樹脂を用いてリング形状のフィルター枠本体に成形加工されており、該リング形状のフィルター枠本体の内径部には各種効果を有するフィルターレンズを嵌合するレンズ嵌合部を形成し、前記リング形状のフィルター枠本体の内径部で入射光側前方にはフィルターレンズの嵌合用のレンズ押さえ内段縁部とその内径側に形成したバリ溜まり溝を形成し、該レンズ押さえ内段縁部にフィルターレンズをカメラレンズ鏡筒への装着側後方から装着して前記レンズ押さえ内段縁部にフィルターレンズの円周縁部を当接し、該フィルターレンズはフィルター枠本体のカメラレンズ鏡筒への装着側後方に設けられた前記レンズ嵌合部へレンズ押さえ環とそのレンズ押さえ環と一体化され光軸方向の入射光側前方に突出した形状を有する溶接リング部及び先端溶接代を嵌合し、該レンズ押さえ環と前記レンズ押さえ内段縁部を超音波溶着により圧接して溶着可能とし、前記フィルターレンズをフィルター枠本体内でレンズ押さえ環とレンズ押さえ内段縁部にて挟持、固着したことを特徴とするデジタルカメラ用のフィルター枠。
【請求項２】
前記リング形状のフィルター枠本体の内径部に形成されたフィルターレンズ用のレンズ押さえ内段縁部とレンズ嵌合部、該レンズ押さえ内段縁部にフィルターレンズを入射光側前方から嵌合しフィルターレンズの円周縁部が前記レンズ押さえ内段縁部に当接されるように装着されるフィルターレンズ、該フィルターレンズの入射光側前方から装着され前記レンズ嵌合部の縁部に超音波溶着により圧接し溶着可能なレンズ押さえ環により構成され前記フィルターレンズをレンズ押さえ内段縁部とレンズ押さえ環にてリング形状のフィルター枠本体に固着内蔵したことを特徴とする請求項１に記載されたデジタルカメラ用のフィルター枠。
【請求項３】
前記レンズ嵌合部の縁部に超音波溶着により溶着可能なレンズ押さえ環の形状はフィルターレンズの円周縁部に当接する当接部を有するレンズ押さえ環と、該レンズ押さえ環の縁部より光軸方向に突出した形状の溶着リング部からなり、該溶着リング部の先端縁部は溶着代を形成していることを特徴とする請求項１または請求項２のいずれかに記載されたデジタルカメラ用のフィルター枠。
【請求項４】
前記フィルター枠本体のレンズ押さえ内段縁部、並びに前記レンズ押さえ環のフィルターレンズ当接部部分には夫々円周形状の廻り縁部を構成する当接部を形成し、該夫々の当接部には、円周方向に沿って形成された凹凸形状のスジ状突起部が設けられており、前記レンズ押さえ内段縁部にレンズ押さえ環を圧接して超音波溶着をした際に前記凹凸形状のスジ状突起部がフィルターレンズを挟持してレンズ押さえ環とフィルターレンズ間並びにフィルターレンズとレンズ押さえ内段縁部間の水密性を高めることを特徴とする請求項１乃至請求項３のいずれかに記載されたデジタルカメラ用のフィルター枠。
【発明の詳細な説明】
【技術分野】
【０００１】
本発明は、デジタルカメラ用のフィルター枠に関するものであり、特に本発明は、熱可塑性樹脂や繊維強化プラスチックスなどの複合樹脂を用いて製作されるデジタルカメラ用フィルター枠に関するものである。
【０００２】
また、本発明のデジタルカメラ用のフィルター枠は、従来の金属製フィルター枠に比較して軽量であること、フィルター枠とフィルターレンズ嵌合部の水密性がよいこと、並びにカメラレンズ鏡筒先端に取り付けて使用中に堅いものにぶつけた場合にフィルター枠が緩衝材となりカメラレンズの光軸を狂わせないなどの特徴を有するものである。
【背景技術】
【０００３】
本発明において、デジタルカメラ用のフィルターとは、デジタルカメラのレンズ鏡筒前面に装着され、光を吸収したり、透過させたり、或いは光に変化を与えるなど、光を目的に応じて制御して、カメラの撮像素子に光を送り込む役割を果たすもので、デジタルカメラ用フィルターは、主に光学ガラス系からなるフィルターレンズと該フィルターレンズを保持するためのフィルター枠から構成されている。
【０００４】
斯くして、従来のデジタルカメラ用フィルター枠の材質、並びに形状例は、特開２００５−３０１１７３号（以下、特許文献１と称する）に開示されている。特許文献１にはフィルター外周枠の材質として金属製素材にメッキをして、黒色アルマイトを化学的に研磨して荒らしたサテン仕上げを施したものなどの記載があり、前記金属製素材とはアルミ製であることが理解できる。
【０００５】
また、特許文献１は、レンズ保護用のフィルター、円偏光フィルター、光量減少フィルターと特殊効果をもたたす光条効果用フィルター、被写体を柔らかく表現できるソフトフォーカス用フィルターなど、利用価値の大きいデジタルカメラ用のフィルター枠構造に関する記載があり、該フィルター枠に必要な形状や加工技術が開示されている。
【０００６】
更に、デジタルカメラ用のフィルター枠に必要な形状や加工に関して、特許文献１は、フィルター外周枠の後方に設けられデジタルカメラの鏡筒に螺合して連結される雄ネジ部、フィルター外周枠の前面に設けられる他の光学系アタッチメント螺合連結用雌ネジ、フィルター外周枠の外周部に刻設された回転操作用ローレット加工部、そして、フィルターレンズを内蔵するためのレンズ押さえバネや、フィルターレンズ押さえ内段部などの構成が開示されている。
【０００７】
而して、特許文献１等に開示された従来のデジタルカメラ用フィルター枠は、その材質を金属製素材としてアルミや真鍮が用いられており、この事に起因して従来のデジタルカメラ用フィルター枠は一般的に重量が重くオートフォーカス用モーターに負荷がかかる欠点があった。
【０００８】
また、従来のデジタルカメラ用のフィルター枠は、アルミなどの金属製枠に光学ガラス系からなるフィルターレンズを嵌着し、該嵌着したフィルターレンズをレンズ押さえ縁やリング形状の押さえバネにて固着しているのみの構造で、フィルター枠とフィルターレンズ嵌合部間の水密性が良くない欠点があった。
【０００９】
更に、従来のデジタルカメラ用フィルター枠は、金属製であり、該金属製フィルター枠からなる各種フィルターは、デジタルカメラのレンズ鏡筒前面に装着されて使用されることが多いので、使用中に堅いものにぶつけた場合にその衝撃は、金属製フィルター枠を介して直接カメラレンズ鏡筒に伝わることになりカメラレンズの鏡筒の光軸を狂わせることもあるので、この点に関する解決策が模索されてきた。
【先行技術文献】
【特許文献】
【００１０】
【特許文献１】特開２００５−３０１１７３号公報
【発明の概要】
【発明が解決しようとする課題】
【００１１】
本発明が解決しようとする課題は、デジタルカメラのレンズ鏡筒前面に装着され使用される各種フィルターの重量を軽くすることによりデジタルカメラ本体に内蔵されたオートフォーカス用モーターの負荷を軽減するものである。
【００１２】
また、従来のデジタルカメラ用のフィルター枠は、アルミなどの金属製枠に光学ガラス系からなるフィルターレンズを嵌着し、該嵌着したフィルターレンズをレンズ押さえ縁やリング形状の押さえバネにて固着している構造で、フィルター枠とフィルターレンズ嵌合部間の水密性が良くない欠点があったが、本発明はこの欠点を解消するものである。
【００１３】
更に、本発明が解決しようとする課題は、従来のデジタルカメラのフィルター枠が金属製であることから、各種フィルターがデジタルカメラのレンズ鏡筒前面に装着されて使用され、その使用中に堅いものにぶつけた場合にその衝撃は、金属製フィルター枠を介して直接カメラレンズ鏡筒に伝わることになりカメラレンズの鏡筒の光軸を狂わせることになる欠点を解決するものである。
【課題を解決するための手段】
【００１４】
本発明において、デジタルカメラのレンズ鏡筒前面に装着され光を制御するために使用するフィルター枠本体は、適度の弾性を有する熱可塑性樹脂や繊維強化プラスチックスなどの複合樹脂を成形加工してリング形状のフィルター枠に製作され、該リング形状のフィルター枠本体内に各種効果を有するフィルターレンズを嵌合して製作される。
【００１５】
また、本発明は、適度の弾性を有する熱可塑性樹脂や繊維強化プラスチックスなどの複合樹脂を成形加工してリング形状のフィルター枠本体に製作され、該リング形状のフィルター枠本体の内径部に形成されたフィルターレンズ用のレンズ押さえ内段縁部とレンズ嵌合部、該レンズ押さえ内段縁部にフィルターレンズを後方から嵌合しフィルターレンズの円周縁部が前記レンズ押さえ内段縁部に当接されるように装着されるフィルターレンズ、該フィルターレンズの後部に装着され前記レンズ嵌合部の縁部に超音波溶着により圧接し溶着可能なレンズ押さえ環により構成され前記フィルターレンズをレンズ押さえ内段縁部とレンズ押さえ環にてリング形状のフィルター枠本体に固着内蔵された構成のデジタルカメラ用のフィルター枠である。
【００１６】
そして、本発明は、同様に適度の弾性を有する熱可塑性樹脂や繊維強化プラスチックスなどの複合樹脂を成形加工してリング形状のフィルター枠本体に製作され、該リング形状のフィルター枠本体の内径部に形成されたフィルターレンズ用のレンズ押さえ内段縁部とレンズ嵌合部、該レンズ押さえ内段縁部にフィルターレンズを前方から嵌合しフィルターレンズの円周縁部が前記レンズ押さえ内段縁部に当接されるように装着されるフィルターレンズ、該フィルターレンズの前部に装着され前記レンズ嵌合部の縁部に超音波溶着により圧接し溶着可能なレンズ押さえ環により構成され前記フィルターレンズをレンズ押さえ内段縁部とレンズ押さえ環にてリング形状のフィルター枠本体に固着内蔵された構成のデジタルカメラ用のフィルター枠を提供する。
【００１７】
斯くして、本発明において、採用された前記レンズ嵌合部の縁部に超音波溶着により溶着可能なレンズ押さえ環の形状は、フィルターレンズの円周縁部に当接する当接部を有する押さえ環本体と、該押さえ環本体より突出した形状の溶着リング部からなり、該溶着リング部の先端縁部には溶着代を形成している。
【００１８】
また、本発明において、前記フィルター枠本体のレンズ押さえ内段縁部、並びに前記レンズ押さえ環のフィルターレンズ当接部分には、夫々円周形状の廻り縁部を構成する当接部を形成し、該夫々の当接部には円周方向に沿って形成された凹凸形状の筋状突起部が設けられており、前記レンズ押さえ内段縁部にレンズ押さえ環を圧接して超音波溶着した際に前記凹凸形状のスジ状突起部がフィルターレンズを挟持してレンズ押さえ環とフィルターレンズ間並びにフィルターレンズとレンズ押さえ内段縁部間の水密性を高めたデジタルカメラ用のフィルター枠を提供するものである。
【発明の効果】
【００１９】
斯くして、本発明は、適度の弾性を有する熱可塑性樹脂や繊維強化プラスチックスなどの複合樹脂を成形加工してリング形状のフィルター枠本体に製作され、該リング形状のフィルター枠本体内に各種効果を有するフィルターレンズを嵌合して製作されるフィルター枠本体を提供するものであり、また、本発明は、例えば、適度の弾性を有する熱可塑性樹脂や繊維強化プラスチックスなどの複合樹脂を成形加工してリング形状のフィルター枠本体に製作され、該リング形状のフィルター枠本体の内径部に形成されたフィルターレンズ用のレンズ押さえ内段縁部とレンズ嵌合部、該レンズ押さえ内段縁部にフィルターレンズを後方から嵌合しフィルターレンズの円周縁部が前記レンズ押さえ内段縁部に当接されるように装着されるフィルターレンズ、該フィルターレンズの後方に装着され前記レンズ嵌合部の縁部に超音波溶着により圧接し溶着可能なレンズ押さえ環により構成され前記フィルターレンズをレンズ押さえ内段縁部とレンズ押さえ環にてリング形状のフィルター枠本体に固着内蔵された構成のデジタルカメラ用のフィルター枠を提供するもので、アルミなど金属材料を用いて製作される従来のフィルター枠に比較してデジタルカメラのレンズ鏡筒前面に装着され使用される各種フィルターの重量を軽くすることが可能となり、デジタルカメラ本体に内蔵されたオートフォーカス用モーターの負荷を大幅に軽減することができるものである。
【００２０】
また、本発明におけるリング形状のフィルター枠本体は、例えば熱可塑性樹脂、並びに合成樹脂を用いた繊維強化プラスチックなどの複合樹脂を成形加工して製作され、該成形加工にて製作されるフィルルター枠本体は、比較的弾性に富んだ熱可塑性樹脂などを選択して製作されることにより、該リング形状のフィルター枠本体が、デジタルカメラのレンズ鏡筒前面に装着されて使用され、その使用中に堅いものにぶつけた場合に、その衝撃はフィルター枠自体の弾性により緩衝できることから前記カメラレンズ鏡筒に伝わることがなく、該カメラレンズ鏡筒の光軸を狂わせることがなくなる。
【００２１】
更に、本発明は、フィルター枠本体内に形成されるフィルター枠本体のレンズ押さえ内段縁部、並びに前記レンズ押さえ環のフィルターレンズ当接部分に夫々円周形状の廻り縁部を構成する当接部を形成し、該夫々の当接部には円周方向に沿って形成された凹凸形状のスジ状突起部が設けられており、前記レンズ押さえ内段縁部にレンズ押さえ環を圧接して超音波溶着した際に前記凹凸形状のスジ状突起部がフィルターレンズを挟持してレンズ押さえ環とフィルターレンズ間並びにフィルターレンズとレンズ押さえ内段縁部間の水密性を高めたデジタルカメラ用のフィルター枠を提供するものである。
【００２２】
そして、本発明は、適度の弾性を有する熱可塑性樹脂並びに合成樹脂を用いた繊維強化プラスチックなどの複合樹脂を成形加工して製作することから大量生産することが可能となり、製品製作コストを大幅に下げることが可能となった。
【図面の簡単な説明】
【００２３】
【図１】本発明におけるフィルター枠本体の装着部位説明図。
【図２】本発明を説明する要部断面図。
【図３】（Ａ）実施例１を示す図２Ａ―Ａ部分の拡大図で組立図。（Ｂ）実施例１を示す図２Ａ―Ａ部分の拡大図で組立完了説明図。
【図４】（Ａ）実施例２を示す図２Ａ―Ａ部分の拡大図で組立図。（Ｂ）実施例２を示す図２Ａ―Ａ部分の拡大図で組立完了説明図。
【図５】（Ａ）実施例３を示す図２Ａ―Ａ部分の拡大図で組立図。（Ｂ）実施例３を示す図２Ａ―Ａ部分の拡大図で組立完了説明図。
【図６】（Ａ）実施例３のレンズ押さえ内段部の形状拡大図。（Ｂ）実施例３のレンズ押さえ環の拡大図。
【発明を実施するための形態】
【００２４】
本発明は、デジタルカメラ用のフィルター枠本体に関するものであり、特に本発明は、熱可塑性樹脂や繊維強化プラスチックスなどの複合樹脂を用いて製作されるデジタルカメラ用フィルター枠本体に関するものである。
【００２５】
また、本発明のデジタルカメラ用のフィルター枠本体は、従来の金属製フィルター枠に比較して軽量であること、フィルター枠本体とフィルターレンズ嵌合部の水密性がよいこと、並びにカメラレンズ鏡筒先端に取り付けて使用中に堅いものにぶつけた場合にフィルター枠本体が緩衝材となりカメラレンズの光軸を狂わせないなどの特徴を有するものである。
【００２６】
本発明において、熱可塑性樹脂とは、ガラス転移温度、または融点まで加熱することによって柔らかくなり、目的の形に成形加工できる樹脂で、一般的に熱可塑性樹脂は、切削、研削等の機械加工がしにくい事が多く、加熱し軟化したところで金型に押し込み、冷やして固化させる射出成型加工などが広く用いられており、熱可塑性樹脂を用途により分類すると、汎用プラスチックスやエンジニアリング・プラスチック、並びにスーパーエンジニアリングプラスチックなどである。
【００２７】
本発明において使用される前記汎用プラスチックスには、ポリエチレン（ＰＥ）、ポリプロピレン（ＰＰ）、ポリ塩化ビニル（ＰＶＣ）、ポリスチレン（ＰＳ）、ポリテトラフルオロエチレン（ＰＴＦＥ）、ＡＢＳ樹脂、アクリル樹脂などがある。
【００２８】
また、本発明において使用される前記エンジニアリング・プラスチックスには、ポリアミド（ＰＡ）、ポリアセタール（ＰＯＭ）、ポリカーボネート（ＰＣ）、ポリブチレンテレフタレート（ＰＢＴ）、ポリエチレンテレフタレート（ＰＥＴ）、グラスファイバー強化ポリエチレンテレフタレート（ＧＦ−ＰＥＴ）などがある。
【００２９】
更に、本発明において使用される前記スーパーエンジニアリング・プラスチックスには、ポリフェニレンスルファイド（ＰＰＳ）、ポリテトラフロロエチレン（ＰＴＦＥ）、ポリスルホン（ＰＳＦ）、ポリエーテルサルフォン（ＰＥＳ）、非晶ポリアリレート（ＰＡＲ）、液晶ポリマー（ＬＣＰ）、熱可塑性ポリイミド（ＰＩ）、ポリアミドイミド（ＰＡＩ）などがある。
【００３０】
そして、本発明において使用される合成樹脂を用いた繊維強化プラスチックスなどの複合材料としては、ガラス繊維強化プラスチックス（ＧＦＲＰ）や炭素繊維強化プラスチックス（ＣＦＲＰ）などがある。
【００３１】
斯くして、本発明は、デジタルカメラのレンズ鏡筒前面に装着され使用される各種フィルターの重量を軽くすることによりデジタルカメラ本体に内蔵されたオートフォーカス用モーターの負荷を軽減するものである。
【００３２】
また、従来のデジタルカメラ用のフィルター枠本体は、アルミなどの金属製枠に光学ガラス系からなるフィルターレンズを嵌着し、該嵌着したフィルターレンズをレンズ押さえ縁やリング形状の押さえバネにて固着している構造で、フィルター枠本体とフィルターレンズ嵌合部間の水密性が良くない欠点があったが、本発明はこの欠点を解消して、水辺の撮影や雨中、または雪中のフィールドにおいても利用できるフィルター枠本体を提供するものである。
【００３３】
更に、本発明は、従来のデジタルカメラのフィルター枠が金属製であることから、各種フィルターがデジタルカメラのレンズ鏡筒前面に装着されて使用され、その使用中に堅いものにぶつけた場合にその衝撃は、金属製フィルター枠を介して直接カメラレンズ鏡筒に伝わることになりカメラレンズの鏡筒の光軸を狂わせることになる欠点を解決したデジタルカメラ用のフィルター枠本体を提供するものである。
【００３４】
而して、本発明において、デジタルカメラのレンズ鏡筒前面に装着され光を制御するために使用するフィルター枠本体は、適度の弾性を有する熱可塑性樹脂や繊維強化プラスチックスなどの複合樹脂を成形加工してリング形状のフィルター枠本体に製作され、該リング形状のフィルター枠本体内に各種効果を有するフィルターレンズを嵌合して製作されるデジタルカメラ用のフィルター枠本体であることが好ましい。
【００３５】
本発明において、デジタルカメラのレンズ鏡筒前面に装着され光を制御するために使用するフィルター枠本体は、適度の弾性を有する熱可塑性樹脂や繊維強化プラスチックスなどの複合樹脂を成形加工してリング形状のフィルター枠本体に製作され、該リング形状のフィルター枠本体の内径部に形成されたフィルターレンズ用のレンズ押さえ内段縁部とレンズ嵌合部、該レンズ押さえ内段縁部にフィルターレンズを後方から嵌合しフィルターレンズの円周縁部が前記レンズ押さえ内段縁部に当接されるように装着されるフィルターレンズ、該フィルターレンズの後部に装着され前記レンズ嵌合部の縁部に超音波溶着により圧接し溶着可能なレンズ押さえ環により構成され前記フィルターレンズをレンズ押さえ内段縁部とレンズ押さえ環にてリング形状のフィルター枠本体に固着内蔵されたデジタルカメラ用のフィルター枠であることが好ましい。
【００３６】
また、本発明の他の実施例として、デジタルカメラのレンズ鏡筒前面に装着され光を制御するために使用するフィルター枠本体は、適度の弾性を有する熱可塑性樹脂や繊維強化プラスチックスなどの複合樹脂を成形加工してリング形状のフィルター枠本体に製作され、該リング形状のフィルター枠本体の内径部に形成されたフィルターレンズ用のレンズ押さえ内段縁部とレンズ嵌合部、該レンズ押さえ内段縁部にフィルターレンズを前方から嵌合しフィルターレンズの円周縁部が前記レンズ押さえ内段縁部に当接されるように装着されるフィルターレンズ、該フィルターレンズの前部に装着され前記レンズ嵌合部の縁部に超音波溶着により圧接し溶着可能なレンズ押さえ環により構成され前記フィルターレンズをレンズ押さえ内段縁部とレンズ押さえ環にてリング形状のフィルター枠本体に固着内蔵されたデジタルカメラ用のフィルター枠であることが好ましい。
【００３７】
そして、本発明に使用される前記レンズ嵌合部の縁部に超音波溶着により溶着可能なレンズ押さえ環の形状は、フィルターレンズの円周縁部に当接する当接部を有する押さえ環本体と、該押さえ環本体より突出した形状の溶着リング部からなり、該溶着リング部の先端縁部は溶着代を形成していることが好ましい。
【００３８】
更に、本発明における前記フィルター枠本体のレンズ押さえ内段縁部、並びに前記レンズ押さえ環のフィルターレンズ当接部分には、夫々円周形状の廻り縁部を構成する当接部を形成し、該夫々の当接部には円周方向に沿って形成された凹凸形状のスジ状突起部が設けられており、前記レンズ押さえ内段縁部にレンズ押さえ環を圧接して超音波溶着した際に、前記凹凸形状のスジ状突起部がフィルターレンズを挟持してレンズ押さえ環とフィルターレンズ間、並びにフィルターレンズとレンズ押さえ内段縁部間の水密性を高める構成であることが好ましい。
【実施例１】
【００３９】
図１乃至図３は、本発明の実施例１を説明するものであり、図１は本発明におけるフィルター枠の装着部位説明図、図２は実施例１を説明する要部断面図、図３（Ａ）は図２のＡ−Ａ部分の拡大図で組立説明図、図３（Ｂ）は図２のＡ−Ａ部分拡大図で組立完了図である。
【００４０】
図１において、１はデジタルカメラの本体、２はレンズ鏡筒部、３は熱可塑性樹脂などからなるデジタルカメラ用フィルター枠本体である。そして、前記フィルター枠本体３は、デジタルカメラのレンズ鏡筒２の前面に装着され、フィルターレンズ４にて光を吸収したり、透過させたり或いは光に変化を与えるなど、光を目的に応じて制御して、カメラの撮像素子に光を送り込む役割を果たすもので、デジタルカメラ用フィルターは、主に光学ガラス系からなるフィルターレンズ４と、該フィルターレンズ４を保持するためのリング形状のフィルター枠本体３から構成されている。
【００４１】
図２は、前記フィルター枠本体の要部断面図を示すもので、３はフィルター枠本体、４はフィルターレンズ、５はフィルターレンズの光軸、６は入射光側でフィルターレンズの前方、７はカメラレンズ鏡筒への装着側で後方を示している。前記フィルター枠本体３は、図２における前方６側より他の光学系アタッチメント螺合連結用の雌ネジ部８、レンズ押さえ内段縁部９、フィルルターレンズ４が嵌合されるレンズ嵌合部１０、フィルターレンズのレンズ押さえ環１１、並びに前記レンズ鏡筒部２に螺合して装着される雄ネジ部１２からなり、該フィルター枠本体３を構成する雌ネジ部８、レンズ押さえ内段縁部９、レンズ嵌合部１０、レンズ押さえ環１１、並びに雄ネジ部１２は、全て適度の弾性を有する熱可塑性樹脂や繊維強化プラスチックスなどの複合樹脂を成形加工してリング形状のフィルター枠本体３として製作され、該リング形状のフィルター枠本体３内に各種効果を有するフィルターレンズ４を嵌合して各種の効果を有するリング形状のフィルター枠本体が形成されている。
【００４２】
そして、図３（Ａ）は、図２のＡ−Ａ部分の拡大図で組立説明図、図３（Ｂ）は、図２のＡ−Ａ部分拡大図で組立完了図である。図３（Ａ）において、適度の弾性を有する熱可塑性樹脂や繊維強化プラスチックスなどの複合樹脂を成形加工してリング形状のフィルター枠本体３を製作し、該リング形状のフィルター枠本体３の内径部にフィルターレンズ用のレンズ押さえ内段縁部９とレンズ嵌合部１０を形成し、該レンズ押さえ内段縁部９とレンズ嵌合部１０に図３（Ａ）に示す如くフィルターレンズ４を嵌合した後、該レンズ嵌合部１０の円周縁部１３にバリ留まり溝１４と溶着リング嵌合溝１５設けている。
【００４３】
また、１１はレンズ押さえ環であり、該レンズ押さえ環１１には、押さえ環より突出した形状の溶着リング部１６が形成されており、該溶着リング部１６の先端縁部には溶着代１７が設けられている。
尚、実施例１における図３（Ａ）、（Ｂ）おいて、前記雌ネジ部８はストッパーを突出させた無理抜き型を用いて雌ネジ部８を成形加工でき、また、前記雄ネジ部１２は割り金型を用いることにより成形加工が可能である。
【００４４】
図３（Ｂ）は、前記レンズ押さえ環１１をレンズ嵌合部１０に嵌合し、超音波溶着機にセットして、フィルター枠本体３にレンズ押さえ環１１を超音波溶着した状態を示している。図３（Ｂ）において、フィルター枠本体３の内径部に設けられたフィルターレンズ用のレンズ押さえ内段縁部９にはフィルターレンズ４がレンズ押さえ環１１により圧接されることで挟持されており、前記レンズ押さえ内段縁部９に一体化されている。また、レンズ押さえ環１１は、溶着リング部１６の先端溶着代１７が溶融して、その一部がバリ溜まり溝１４内に納まりながら溶着されることで、前記フィルターレンズ４は強固にレンズ押さえ内段縁部９とレンズ押さえ環１１間に挟持されている。尚、図３（Ｂ）の例では、圧着接合動作のストッパーとなるのが、フィルターレンズ４の後方縁部であり、前記レンズ押さえ内段縁部９にレンズ押さえ環１１を圧接して超音波溶着されるので、レンズ押さえ環１１とフィルターレンズ４間、並びにフィルターレンズ４とレンズ押さえ内段縁部９間の水密性は非常に良いものになる。
【００４５】
斯くして、本発明の実施例１において、デジタルカメラのレンズ鏡筒２前面に装着され光を制御するために使用するフィルター枠本体３は、適度の弾性を有する熱可塑性樹脂や繊維強化プラスチックスなどの複合樹脂を成形加工してリング形状のフィルター枠本体３に製作され、該リング形状のフィルター枠本体３内に各種効果を有するフィルターレンズ４を嵌合して製作されたデジタルカメラ用のフィルター枠本体を提供するものである。
【００４６】
また、本発明の実施例１において、デジタルカメラのレンズ鏡筒２前面に装着され光を制御するために使用するフィルター枠本体３は、適度の弾性を有する熱可塑性樹脂や繊維強化プラスチックスなどの複合樹脂を成形加工してリング形状のフィルター枠本体３に製作され、該リング形状のフィルター枠本体３の内径部に形成されたフィルターレンズ用のレンズ押さえ内段縁部９とレンズ嵌合部１０、該レンズ押さえ内段縁部９にフィルターレンズ４を後方７から嵌合しフィルターレンズ４の円周縁部が前記レンズ押さえ内段縁部９に当接されるように装着されるフィルターレンズ４、該フィルターレンズ４の後方７に装着され前記レンズ嵌合部１０の縁部に超音波溶着により圧接し溶着可能なレンズ押さえ環１１により構成され前記フィルターレンズ４をレンズ押さえ内段縁部８とレンズ押さえ環１６にてリング形状のフィルター枠本体３に固着内蔵したデジタルカメラ用のフィルター枠を提供するものである。
【実施例２】
【００４７】
図４（Ａ）、（Ｂ）は、本発明の実施例２を説明するものであり、図４（Ａ）は、図２のＡ−Ａ部分の拡大図で組立説明図、図４（Ｂ）は図２のＡ−Ａ部分拡大図で組立完了図である。図４（Ａ）、（Ｂ）において、３はリング形状のフィルター枠本体、４はフィルターレンズ、６は入射光側でフィルターレンズの前方、７はカメラレンズ鏡筒への装着側で後方を示している。また、８は雌ネジ部、９はレンズ押さえ内段縁部、１０はレンズ嵌合部、１１はレンズ押さえ環、１２は雄ネジ部、１３は円周縁部、１４はバリ留まり部、１５は溶着リング嵌合溝、１６は溶着リング、１７は溶着代である。
尚、実施例２における図４（Ａ）、（Ｂ）おいて、前記雌ネジ部８はストッパーを突出させた無理抜き型を用いて雌ネジ部８を成形加工でき、また、前記雄ネジ部１２は割り金型を用いることにより成形加工が可能である。
【００４８】
而して、実施例２は、図４（Ａ）に示すようにレンズ押さえ内段縁部９をフィルター枠本体３の後方７に設け、該レンズ押さえ内段部９に当接するフィルターレンズ４を光の入射側となる前方６から嵌合し、次にレンズ押さえ環１１を同様に光の入射側となる前方６より装着してフィルターレンズ４を超音波溶着によりフィルター枠本体３内径部に挟持するものである。
【００４９】
従って、実施例２は、図４（Ｂ）に示すように、デジタルカメラのレンズ鏡筒２前面に装着され光を制御するために使用するフィルター枠本体３は適度の弾性を有する熱可塑性樹脂や繊維強化プラスチックスなどの複合樹脂を成形加工してリング形状のフィルター枠本体３に製作され、該リング形状のフィルター枠本体３の内径部に形成されたフィルターレンズ用のレンズ押さえ内段縁部９とレンズ嵌合部１０、該レンズ押さえ内段縁部１０にフィルターレンズ４を前方６から嵌合し、フィルターレンズ４の円周縁部１３が前記レンズ押さえ内段縁部９に当接されるように装着されるフィルターレンズ４、該フィルターレンズ４の前方６に装着され前記レンズ嵌合部１０の縁部に超音波溶着により圧接し溶着可能なレンズ押さえ環１１により構成され、前記フィルターレンズ４をレンズ押さえ内段縁部９とレンズ押さえ環１１にてリング形状のフィルター枠本体３に固着内蔵したデジタルカメラ用のフィルター枠を提供するものである。
【実施例３】
【００５０】
図５（Ａ）、（Ｂ）、図６（Ａ）、（Ｂ）は、本発明の実施例３を説明するものであり、図５（Ａ）は、図２のＡ−Ａ部分の拡大図で組立説明図、図５（Ｂ）は図２のＡ−Ａ部分拡大図で組立完了図、図６（Ａ）は、実施例３のレンズ押さえ内段部の形状拡大図、図６（Ｂ）は、実施例３のレンズ押さえ環の拡大図である。図５（Ａ）、（Ｂ）において、３はリング形状のフィルター枠本体、４はフィルターレンズ、６は入射光側でフィルターレンズの前方、７はカメラレンズ鏡筒への装着側で後方を示している。また、８は雌ネジ部、９はレンズ押さえ内段縁部、１０はレンズ嵌合部、１８はレンズ押さえ環、１２は雄ネジ部、１９はフィルターレンズ４の円周縁部に接しないように刻設された溶着リング嵌合溝、２０は溶着リング嵌合溝外周部に設けられたバリ留まり部、２１は前記レンズ押さえ環１８に一体化された溶着リング、２２は溶着リング先端部に設けられた溶着代、２３は溶着用ストッパーである。
【００５１】
而して、実施例３は、図５（Ａ）に示すようにレンズ押さえ内段縁部９をフィルター枠本体３の後方７に設け、該レンズ押さえ内段部９に当接するフィルターレンズ４を光の入射側となる前方６から嵌合し、次にレンズ押さえ環１１を同様に光の入射側となる前方６より装着してフィルターレンズ４を超音波溶着によりフィルター枠本体３内径部に挟持するものであり、加熱されるレンズ押さえ環１８が嵌合される溶着リング嵌合溝１９は前記フィルターレンズ４の円周部に接しておらず独立した溝部として形成されている。
【００５２】
従って、実施例３は、図５（Ｂ）に示すように、デジタルカメラのレンズ鏡筒２前面に装着され光を制御するために使用するフィルター枠本体３は適度の弾性を有する熱可塑性樹脂や繊維強化プラスチックスなどの複合樹脂を成形加工してリング形状のフィルター枠本体３に製作され、該リング形状のフィルター枠本体３の内径部に形成されたフィルターレンズ用のレンズ押さえ内段縁部９とレンズ嵌合部１０、該レンズ押さえ内段縁部１０にフィルターレンズ４を前方６から嵌合しフィルターレンズ４の円周縁部１３が前記レンズ押さえ内段縁部９に当接されるように装着されるフィルターレンズ４、該フィルターレンズ４の前方６に装着され前記レンズ嵌合部１０の縁部に超音波溶着により圧接し溶着可能なレンズ押さえ環１８により構成され前記フィルターレンズ４をレンズ押さえ内段縁部９とレンズ押さえ環１８にてリング形状のフィルター枠本体３に固着内蔵したデジタルカメラ用のフィルター枠を提供するものである。
【００５３】
また、実施例３は、レンズ押さえ内段縁部９にレンズ押さえ環１１を圧接して超音波溶着されるので、レンズ押さえ環１８とフィルターレンズ４間、並びにフィルターレンズ４とレンズ押さえ内段縁部９間の水密性は良いものであるが、水辺の撮影や雨中、または雪中のフィールドにおいても利用できるように上記フィルターレンズと４とフィルター枠本体３間の水密性を上げたい要望があり、この要望に沿ったフィルター枠を提供するものである。
【００５４】
而して、実施例３において、前記フィルター枠本体３のレンズ押さえ内段縁部９（図６（Ａ）に示す）、並びに前記レンズ押さえ環１８（図６（Ｂ）に示す）のフィルターレンズ４の当接部分には夫々円周形状の廻り縁部を構成するレンズ押さえ内段縁部の当接部２４、並びにレンズ押さえ環の当接部２５を形成し、該夫々のレンズ押さえ内段縁部の当接部２４、並びにレンズ押さえ環の当接部２５には円周方向に沿って形成された凹凸形状のスジ状突起部２６が設けられており、前記レンズ押さえ内段縁部９にレンズ押さえ環１８を圧接して超音波溶着した際に前記凹凸形状のスジ状突起部２６がフィルターレンズ４（図６には図示せず）を挟持してレンズ押さえ環１８とフィルターレンズ４間、並びにフィルターレンズ４とレンズ押さえ内段縁部９間の水密性を高めたデジタルカメラ用のフィルター枠を提供する。
【００５５】
斯くして、本発明は、適度の弾性を有する熱可塑性樹脂や繊維強化プラスチックスなどの複合樹脂を成形加工してリング形状のフィルター枠本体に製作され、該リング形状のフィルター枠本体内に各種効果を有するフィルターレンズを嵌合して製作されるフィルター枠本体を提供するものであり、また、本発明は、例えば、適度の弾性を有する熱可塑性樹脂や繊維強化プラスチックスなどの複合樹脂を成形加工してリング形状のフィルター枠本体として製作され、該リング形状のフィルター枠本体の内径部に形成されたフィルターレンズ用のレンズ押さえ内段縁部とレンズ嵌合部、該レンズ押さえ内段縁部にフィルターレンズを後方から嵌合しフィルターレンズの円周縁部が前記レンズ押さえ内段縁部に当接されるように装着されるフィルターレンズ、該フィルターレンズの後部に装着され前記レンズ嵌合部の縁部に超音波溶着により圧接し溶着可能なレンズ押さえ環により構成され前記フィルターレンズをレンズ押さえ内段縁部とレンズ押さえ環にてリング形状のフィルター枠本体に固着内蔵された構成のデジタルカメラ用のフィルター枠を提供するもので、アルミなど金属材料を用いて製作される従来のフィルター枠に比較してデジタルカメラのレンズ鏡筒前面に装着され使用される各種フィルターの重量を軽くすることが可能となり、デジタルカメラ本体に内蔵されたオートフォーカス用モーターの負荷を大幅に軽減することができるものである。
【００５６】
また、本発明におけるリング形状のフィルター枠は、例えば熱可塑性樹脂、並びに合成樹脂を用いた繊維強化プラスチックなどの複合樹脂を成形加工して製作され、該成形加工にて製作されるフィルルター枠本体は、比較的弾性に富んだ熱可塑性樹脂などを選択して製作されることにより、該リング形状のフィルター枠本体が、デジタルカメラのレンズ鏡筒前面に装着されて使用され、その使用中に堅いものにぶつけた場合に、その衝撃はフィルター枠自体の弾性により緩衝できることから前記カメラレンズ鏡筒に伝わることがなく、該カメラレンズ鏡筒の光軸を狂わせることがなくなる。
【００５７】
更に、本発明は、フィルター枠本体内に形成されるフィルターレンズ押さえ内段縁部、並びに前記レンズ押さえ環のフィルターレンズ当接部分に夫々円周形状の廻り縁部を構成する当接部を形成し、該夫々の当接部には円周方向に沿って形成された凹凸形状のスジ状突起部が設けられており、前記レンズ押さえ内段縁部にレンズ押さえ環を圧接して超音波溶着した際に前記凹凸形状のスジ状突起部がフィルターレンズを挟持してレンズ押さえ環とフィルターレンズ間並びにフィルターレンズとレンズ押さえ内段縁部間の水密性を高めたデジタルカメラ用のフィルター枠を提供するものである。
【００５８】
そして、本発明は、適度の弾性を有する熱可塑性樹脂並びに合成樹脂を用いた繊維強化プラスチックなどの複合樹脂を成形加工して製作することから大量生産することが可能となり、製品製作コストを大幅に下げることが可能となった。
【符号の説明】
【００５９】
１  デジタルカメラの本体
２  レンズ鏡筒部
３  フィルター枠本体
４  フィルターレンズ
５  フィルターレンズの光軸
６  前方
７  後方
８  雌ネジ部
９  レンズ押さえ内段縁部
１０  レンズ嵌合部
１１  レンズ押さえ環
１２  雄ネジ部
１３  円周縁部
１４  バリ留まり部
１５  溶着リング嵌合溝
１６  溶着リング
１７  溶着代
１８  レンズ押さえ環（実施例３）
１９  溶着リング嵌合溝（実施例３）
２０  溶着リング嵌合溝外周部に設けられたバリ留まり部
２１  溶着リング
２２  溶着代
２３  溶着用ストッパー
２４  レンズ押さえ内段縁部の当接部
２５  レンズ押さえ環の当接部
２６  スジ状突起部
【図１】
0005524255.tif 000002
【図２】
0005524255.tif 000003
【図３】
0005524255.tif 000004
【図４】
0005524255.tif 000005
【図５】
0005524255.tif 000006
【図６】
0005524255.tif 000007